(57)【要約】  本発明は、透明又は不透明な液体布地柔軟化組成物に関する。本発明の組成物は、布地柔軟仕上げ剤、主溶媒、及び非イオン性界面活性剤を含む。【特許請求の範囲】
【請求項１】
透明又は半透明の布地柔軟化組成物であって、
ａ）布地柔軟化化合物、
ｂ）−０．２〜１．０のＣｌｏｇＰを有する主溶媒、及び、
ｃ）以下の式を有する非イオン性界面活性剤：
Ｒ３−（ＣＨ２−ＣＨ２−Ｏ−）ｘ−（ＣＨ−（ＣＨ３）−（ＣＨ２）ｐ−Ｏ−）ｙ−Ｒ４
式中、
（ｉ）Ｒ３は、Ｃ４〜Ｃ１８アルキル鎖であり、
（ｉｉ）Ｒ４は、Ｈ又はＣＨ３であり、
（ｉｉｉ）ｐは、１又は２であり、
（ｉｖ）ｘは、１〜１０の整数であり、
（ｖ）ｙは、１〜１０の整数である
を含んでなる布地柔軟化組成物。
【請求項２】
布地柔軟仕上げ剤分散性試験により測定されるとき、前記組成物が、１００秒未満、好ましくは８０秒未満、最も好ましくは７５秒未満のＴ５０％値を有する、請求項１に記載の組成物。
【請求項３】
前記柔軟化化合物が、以下の式
【化１】
2008542569.tif 000012
又は以下の式
【化２】
2008542569.tif 000013
を有し、式中、Ｑは、以下の式を有するカルボニル単位であり、
【化３】
2008542569.tif 000014
各Ｒ単位は、独立して水素、Ｃ１〜Ｃ６アルキル、Ｃ１〜Ｃ６ヒドロキシアルキル、及びこれらの混合物、好ましくはメチル又はヒドロキシアルキルであり、各Ｒ１単位は、独立して直鎖又は分枝鎖Ｃ１１〜Ｃ２２アルキル、直鎖又は分枝鎖Ｃ１１〜Ｃ２２アルケニル、及びこれらの混合物であり、Ｒ２は水素、Ｃ１〜Ｃ４アルキル、Ｃ１〜Ｃ４ヒドロキシアルキル、及びこれらの混合物であり、Ｘは布地柔軟仕上げ剤化合物と適合性のあるアニオンであり、指数ｍは１〜４、好ましくは２であり、指数ｎは１〜４、好ましくは２である、請求項１又は２に記載の組成物。
【請求項４】
前記布地柔軟仕上げ剤化合物が、組成物の１５重量％〜７０重量％の量で存在する、請求項１〜３のいずれか一項に記載の組成物。
【請求項５】
前記主溶媒が、モノオール、Ｃ６ジオール、Ｃ７ジオール、オクタンジオール異性体、ブタンジオール誘導体、トリメチルペンタンジオール異性体、エチルメチルペンタンジオール異性体、プロピルペンタンジオール異性体、ジメチルヘキサンジオール異性体、エチルへキサンジオール異性体、メチルヘプタンジオール異性体、オクタンジオール異性体、ノナンジオール異性体、アルキルグリセリルエーテル、ジ（ヒドロキシアルキル）エーテル、並びにアリールグリセリルエーテル、芳香族グリセリルエーテル、脂環式ジオール及び誘導体、Ｃ３Ｃ７ジオールアルコキシル化誘導体、芳香族ジオール、並びに不飽和ジオール、並びにこれらの混合物から選択される、請求項１〜４のいずれか一項に記載の組成物。
【請求項６】
主溶媒が、２，２，４−トリメチル−１，３−ペンタンジオール、２，２，４−トリメチル−１，３−ペンタンジオールのエトキシレート、１，２ヘキサンジオール、２−エチル−１，３−ヘキサンジオール、フェノキシエタノール、ブチルカルビトール、２メチル２，４ペンタンジオール及びこれらの混合物から選択される、請求項５に記載の組成物。
【請求項７】
前記主溶媒が、組成物の４０重量％未満、好ましくは２５重量％未満、より好ましくは２重量％〜１０重量％の量で存在する、請求項１〜６のいずれか一項に記載の組成物。
【請求項８】
前記組成物が、透明度を改善するのに十分な有効な量の、エタノール、イソプロパノール、プロピレングリコール、１，２−プロパンジオール、１，３−プロパンジオール、プロピレンカーボネート、１，４シクロヘキサンジメタノール及びこれらの混合物から成る群から選択される低分子量の水溶性溶媒を含み、前記水溶性溶媒が、それ自体で透明な組成物を形成しない濃度である、請求項１〜７のいずれか一項に記載の組成物。
【請求項９】
前記組成物が、２〜５のｐＨを有し、洗浄性洗濯洗剤を本質的に含まない、請求項１〜８のいずれか一項に記載の組成物。
【請求項１０】
請求項１〜９のいずれか一項に記載の柔軟化組成物を含有する水性媒質に布地を接触させる工程を含む、布地処理方法。
【発明の詳細な説明】
【技術分野】
【０００１】
本発明は、布地を柔軟化するのに有用な布地柔軟化組成物に関する。特に、織物洗濯作業のすすぎサイクルでの使用に好適な布地柔軟化組成物に関する。本発明の組成物は、半透明又は透明の液体柔軟化組成物である。
【背景技術】
【０００２】
透明又は半透明の布地柔軟化組成物が説明されてきた。強化された分散性を有する布地柔軟化組成物がより効率的で均質な布地柔軟化効果をもたらすことが、高く評価されている。強化された分散性を有する透明又は不透明の布地柔軟化組成物を提供する継続的必要性がある。
【０００３】
透明又は不透明の柔軟化組成物における非イオン性界面活性剤の使用が報告されている。例えば、非イオン性界面活性剤の一部は、低量の溶媒での透明な製品の実現を助けると考えられている。
【発明の開示】
【発明が解決しようとする課題】
【０００４】
強化された分散性をもたらし、その上に低量の溶媒で透明又は半透明の製品を提供する、具体的な非イオン性界面活性剤を特定する必要性がある。
【０００５】
例えば、米国特許第６，２１８，３５４号、米国特許第６，３０２，８７１号、国際公開特許（ＷＯ）９９／０９１２２、国際公開特許（ＷＯ）０１／３６５７５、国際公開特許（ＷＯ）０１／４２４１２、国際公開特許（ＷＯ）９８／０２５１３、国際公開特許（ＷＯ）９７／０３１６９、欧州特許第００４３５４７号、及び欧州特許第０３０９０５２号を参照のこと。
【課題を解決するための手段】
【０００６】
本発明は、透明又は半透明の布地柔軟化組成物における特定の非イオン性界面活性剤の使用を提供することによって、この必要性及びその他の必要性への対処を試みるものである。
【０００７】
本発明の第１の態様は、透明又は半透明の布地柔軟化組成物であって、（ａ）布地柔軟化化合物、（ｂ）−０．２〜１のＣｌｏｇＰを含む主溶媒、及び、（ｃ）以下の式を有する非イオン性界面活性剤：
Ｒ３−（ＣＨ２−ＣＨ２−Ｏ−）ｘ−（ＣＨ−（ＣＨ３）−（ＣＨ２）ｐ−Ｏ−）ｙ−Ｒ４
式中、Ｒ３は、Ｃ４〜Ｃ１８アルキル鎖であり、Ｒ４は、Ｈ又はＣＨ３であり、ｐは、１又は２であり、ｘは、１〜１０の整数であり、ｙは、１〜１０の整数である、を含んでなる。
【０００８】
本発明の別の態様は、自動洗濯機のすすぎサイクル中に本発明の組成物を投与する工程を含む、布地柔軟化方法を提供する。
【０００９】
本発明の別の態様は、本発明の布地柔軟化組成物を含有する水性媒質に布地を接触させる工程を含む、布地処理方法を提供する。
【００１０】
本発明の別の態様は、本発明の組成物、及び任意に、自動洗濯機のすすぎサイクル中に組成物を投与するようユーザーを指導する使用説明書を含むキットを提供する。ユーザーは、洗濯機のすすぎサイクル中に組成物を自動的に分与する、洗濯機内の区画に組成物を注ぐことなどの、いかなる既知の手段によっても組成物を投与することができる。すすぎサイクル中の分与の別の手段は、ダウニー（Downy）（登録商標）ボールの使用である。
【発明を実施するための最良の形態】
【００１１】
Ｉ．非イオン性界面活性剤
本発明の第１の態様は、以下の式による非イオン性界面活性剤を含む布地柔軟化組成物の提供をもたらすことであり、
Ｒ３−（ＣＨ２−ＣＨ２−Ｏ−）ｘ−（ＣＨ−（ＣＨ３）−（ＣＨ２）ｐ−Ｏ−）ｙ−Ｒ４
式中、Ｒ３は、Ｃ４〜Ｃ１８アルキル鎖であり、Ｒ４は、Ｈ又はＣＨ３であり、ｐは、１又は２であり、ｘは、１〜１０であり、ｙは、１〜１０である。一実施形態において、Ｒ３は、Ｃ４〜Ｃ１４、あるいはＣ８〜Ｃ１８である。Ｒ３のアルキル鎖は、分枝状、非分枝状、又は環状であってもよく、また置換又は非置換であってもよい。別の実施形態では、変数ｘは、１〜１０、あるいは５〜１０である。更に別の実施形態では、変数ｙは、１〜１０、あるいは５〜１０である。一実施形態において、非イオン性界面活性剤は、上記の式の脂肪族アルコールアルコキシラートであり、これにはＢＡＳＦからのプルラファク（Plurafac）（登録商標）ＬＦ１２０及びプルラファク（登録商標）ＬＦ４０５が挙げられる。一般に、プルラファク（登録商標）ＬＦ型は、アルコキシル化脂肪族アルコールから成る低起泡性の非イオン性界面活性剤であり、エチレンオキシドとともに主に非分枝状高級アルケンオキシドを含有する。プルラファク（Plurafac）（登録商標）ＬＦ型についてのさらなる情報は、ＢＡＳＦの技術情報パンフレット（１９９５年２月）から得ることができる。
【００１２】
本発明の布地柔軟化組成物における非イオン性界面活性剤の混和の典型的な濃度は、組成物の１０重量％未満、好ましくは０．１重量％〜７重量％、より好ましくは１重量％〜５重量％である。本発明において、本発明のこれらの非イオン性界面活性剤は、本明細書で以下に定義される「主溶媒」ではない。
【００１３】
分散性
本発明の別の態様は、強化された分散性を有する布地柔軟化組成物を提供する。一実施形態において、「布地柔軟仕上げ剤分散性試験（Fabric Softener Dispersibility Test）」又は「ＦＳＤＴ」により測定されるとき、組成物は、１００秒未満、好ましくは８０秒未満、最も好ましくは７５秒未満の「Ｔ５０％値」を示す。一般に、ＦＳＤＴは、組成物が蒸留水に分散されているときの、組成物から水への電解質の放出に起因する伝導度の増加を測定することにより、水中での布地柔軟化組成物の分散性を数値化する。組成物が水中でどのぐらいの速さで分散するかということ、組成物が加えられる水の伝導度の増加速度との間には、直接の関係がある。本明細書で定義されるように、「Ｔ５０％値」とは、初期値（布地柔軟仕上げ剤組成物が加えられていない）から、初期値と最終値（加えられた布地柔軟仕上げ剤組成物が水中で完全に分散した）との間の中間値まで、伝導度が増加するのに必要な時間（秒）である。
【００１４】
ＦＳＤＴには、２つの基本的な工程がある。第１の工程は、当該の透明又は半透明の布地柔軟化組成物の一連の希釈剤を作り出すことを伴う。幅約６ｃｍ、高さ１０ｃｍの寸法を有するガラスの瓶（閉めるためのキャップ付き）を用意する。２ｍｍｏｌの硬度の工業用水道水に、異なる希釈濃度の組成物を準備する。希釈試料を準備するために、（１５０−ｘ）ｇの水道水を瓶に加え、ｘｇの布地柔軟仕上げ剤組成物を単一の添加工程で加え、瓶を閉めて３回（１回につき１秒）逆さまにし、続いてすぐに振動台（ＧＦＬ振動台３０２０型）に置き、２０．９ｒａｄ／ｓ（２００ｒｐｍ）で１０分間、続いて２６．２ｒａｄ／ｓ（２５０ｒｐｍ）で２分間、振盪させる（したがって、合計１２分間の振盪）。２１〜２５℃で、ブルックフィールド粘度計ＬＤＶ型、スピンドル２、６．３ｒａｄ／ｓ（６０ｒｐｍ）を使用して、混合後１分以内に粘度が測定される。５重量％の、１０重量％の、９５重量％までの５重量％刻みの希釈剤の範囲にわたる方法で、ｘが選択される。粘度の一番高い希釈試料が、次に工程２の伝導度測定工程で使用される。
【００１５】
工程２は、工程１の直後に開始される。２５００ｍＬの蒸留水を３Ｌのビーカー（高さ２１ｃｍ×幅１５ｃｍ）に入れる。３Ｌのビーカーの内容物を、（長さ６ｃｍの４つのブレードを有するスクリュープロペラを使用して）５．２ｒａｄ／ｓ（５０ｒｐｍ）で攪拌する（ＩＫＡユーロスター（IKA Eurostar））。内容物の攪拌が開始されるとすぐに、伝導度計測器（ユーテックインスツルメンツ（Eutech instruments）、手持ち式伝導度計測器）がビーカーに挿入され、１０秒ごとに伝導度の測定値がとられる。この水に、工程１で選択された（１１７／ｘ）ｇの分散液が加えられる。
【００１６】
伝導度の測定値が最初の１０分間に連続してとられる。その後、速度を２６．２ｒａｄ／ｓ（２５０ｒｐｍ）に上げ、組成物の完全な分散を確保するために測定値を更に２分間とる（合計１２分間）。初期伝導度（布地柔軟仕上げ剤組成物が加えられていない）と、１２分間の攪拌後の伝導度との間の中間の伝導度に達したときの時間が、Ｔ５０％値として報告される。
【００１７】
ＩＩ．布地柔軟化化合物
本発明のもう一つの態様は、布地柔軟化化合物を提供する。布地柔軟仕上げ剤化合物は、好ましくは、カチオン性、非イオン性、両性、又はアニオン性の布地柔軟化成分から選択される。カチオン性柔軟化成分の典型は、以下に記述するように、第四級アンモニウム化合物又はそのアミン前駆体である。柔軟化組成物内での柔軟化化合物の混和の典型的な濃度は、組成物の１重量％〜８０重量％、好ましくは５重量％〜７５重量％、より好ましくは１５重量％〜７０重量％、及び更により好ましくは１９重量％〜６５重量％である。
【００１８】
布地柔軟化化合物の非限定例を説明する。
【００１９】
Ａ）第四級アンモニウム布地柔軟化活性化合物
１）好ましい第四級アンモニウム布地柔軟化活性化合物は、以下の式
【化１】
2008542569.tif 000002
又は以下の式
【化２】
2008542569.tif 000003
を有し、式中、Ｑは、以下の式を有するカルボニル単位であり、
【化３】
2008542569.tif 000004
各Ｒ単位は、独立して水素、Ｃ１〜Ｃ６アルキル、Ｃ１〜Ｃ６ヒドロキシアルキル、及びこれらの混合物であり、好ましくはメチル又はヒドロキシアルキルであり、各Ｒ１単位は、独立して直鎖又は分枝鎖Ｃ１１〜Ｃ２２アルキル、直鎖又は分枝鎖Ｃ１１〜Ｃ２２アルケニル、及びこれらの混合物であり、Ｒ２は水素、Ｃ１〜Ｃ４アルキル、Ｃ１〜Ｃ４ヒドロキシアルキル、及びこれらの混合物であり、Ｘは布地柔軟仕上げ活性物質及び補助剤成分と適合性のあるアニオンであり、指数ｍは１〜４、好ましくは２であり、指数ｎは１〜４、好ましくは２である。
【００２０】
好ましい布地柔軟仕上げ活性物質の例は、以下の式を有する四級化されたアミンの混合物であり、
【化４】
2008542569.tif 000005
式中、Ｒは、好ましくはメチルであり、Ｒ１は、少なくとも１１個の原子、好ましくは少なくとも１５個の原子を含む直鎖又は分枝鎖アルキル又はアルケニル鎖である。上記の布地柔軟仕上げ剤の例においては、−Ｏ２ＣＲ１単位は、通常はトリグリセリド源から誘導される脂肪族アシル単位を表す。
【００２１】
本発明の好ましい布地柔軟化活性物質は、ジエステル及び／又はジアミド四級アンモニウム（ＤＥＱＡ）化合物であり、ジエステル及びジアミンは以下の式を有し、
【化５】
2008542569.tif 000006
式中、Ｒ、Ｒ１、Ｘ、及びｎは、式（１）及び（２）に対する本明細書における上の定義と同じであり、Ｑは、以下の式を有する。
【化６】
2008542569.tif 000007
これらの好ましい布地柔軟化活性物質は、以下の式を有するアミン中間体を形成するための脂肪族アシル単位とのアミンの反応から形成され、
【化７】
2008542569.tif 000008
式中、Ｒは、好ましくはメチルであり、Ｚは、−ＯＨ、−ＮＨ２、又はこれらの混合物であり、その後、最終柔軟仕上げ活性物質への四級化が続く。本発明のＤＥＱＡ布地柔軟化化合物を形成するのに使用されるアミンの非限定例は、米国特許第２００２／００３５０５３Ａ１号（２００２年３月２１日公開）、段落６８〜７３に記載される。
【００２２】
本明細書において先に記載されたように、Ｒ単位は、好ましくはメチルであるが、好適な布地柔軟仕上げ活性物質は、表Ｉにおける上の例の用語「メチル」を、単位「エチル、エトキシ、プロピル、プロポキシ、イソプロピル、ブチル、イソブチル及びｔ−ブチルで置き換えることにより説明される。
【００２３】
本明細書の布地柔軟化組成物の調製に使用することができ、望ましい不飽和レベルを有する、本明細書で記述される他のＤＥＱＡ布地柔軟化化合物、及びそれらの合成は、米国特許第５，８７７，１４５号（エロルＨ．ワール（Errol H. Wahl）ら）に記載されている。
【表１】
2008542569.tif 000009
【００２４】
第四級アンモニウム柔軟化化合物のその他の例は、メチルビス（タロウアミドエチル）（２−ヒドロキシエチル）アンモニウムメチルサルフェート及びメチルビス（水素添加タロウアミドエチル）（２−ヒドロキシエチル）アンモニウムメチルサルフェートであり、これらの物質はそれぞれ、商標名バリソフト（Varisoft）（登録商標）２２２及びバリソフト（Varisoft）（登録商標）１１０でウィトコケミカル社（Witco Chemical Company）から入手可能である。特に好ましいものは、Ｎ，Ｎ−ジ（カノリル−オキシ−エチル）−Ｎ，Ｎ−ジメチルアンモニウムクロリド及びＮ，Ｎ−ジ（カノリル−オキシ−エチル）−Ｎ−メチル，Ｎ−（２−ヒドロキシエチル）アンモニウムメチルサルフェートである。
【００２５】
表Ｉの例の対イオンＸ−は、ブロミド、メチルサルフェート、ギ酸塩、サルフェート、ニトレート、及びこれらの混合物によって好適に置き換えられることができる。実際には、アニオンＸ−は、正電荷を持つ第四級アンモニウム化合物の対イオンとして存在するだけである。本発明の範囲は、いずれかの特定のアニオンに限定されるものではない。
【００２６】
本明細書で使用するとき、ジエステルが明記されると、それは製造において通常存在するモノエステルを含む。柔軟化に関して、持ち越される洗剤がない、又は持ち越される洗剤が少量の洗濯状態においてのモノエステルの割合は、できる限り低いべきであり、好ましくは約２．５％を超えない。しかしながら、洗剤の持ち越しが多い状態においては、いくらかのモノエステルが好ましい。ジエステル対モノエステルの全体比は、約１００：１〜約２：１、好ましくは約５０：１〜約５：１、より好ましくは約１３：１〜約８：１である。洗剤の持ち越しが多い状態においては、ジ／モノエステル比は、好ましくは約１１：１である。存在するモノエステルの濃度は、柔軟仕上げ剤化合物の製造において制御することができる。
【００２７】
また、式（１）及び（２）の活性物質の混合物を調製してもよい。
【００２８】
２）本明細書での使用に好ましい更に他の第四級アンモニウム布地柔軟化化合物は、２つ以上の長鎖非環式脂肪族Ｃ８〜Ｃ２２炭化水素基又は１つの前記基及び単独で若しくは米国特許第２００２／００３５０５３Ａ１、段落９３〜９９に記載されるもののような混合物の一部として使用されることができるアリールアルキル基を有する、カチオン性窒素塩である。
【００２９】
Ｂ）アミン布地柔軟化活性化合物
本明細書での使用に好適なアミン布地柔軟化化合物は、米国特許第２００２／００３５０５３Ａ１、段落１０１〜１２７に記載されるように、アミン形態でもカチオン性形態でもよい。
【００３０】
もちろん、用語「柔軟化化合物」は、混合された柔軟化活性化合物も包含することができる。本明細書で上に開示した柔軟仕上げ剤化合物の種類のうちで好ましいものは、ジエステル又はジアミド四級アンモニウム布地柔軟化活性化合物（ＤＥＱＡ）である。本明細書に記載した布地柔軟仕上げ活性物質は、透明又は半透明の配合物において用いられる。一実施形態では、組成物は透明である。
【００３１】
ＩＩＩ．主溶媒
本発明の別の態様は、主溶媒を提供する。主溶媒は通常、組成物の４０重量％未満、好ましくは２５重量％を下回る、より好ましくは２重量％〜１０重量％の濃度で使用される。
【００３２】
主溶媒は、組成物中の溶媒の臭気の影響を最小限に抑え、最終組成物に低粘度を与えるために選択される。例えば、イソプロピルアルコールは、あまり効果的ではなく、強い臭気を有する。ｎ−プロピルアルコールは、より効果的であるが、やはり独特の臭気を有する。いくつかのブチルアルコール類も臭気を有するが、特にその臭気を最小限に抑えるように主溶媒系の一部として使用される時には、効果的な透明性／安定性のために用いることができる。最適な低温安定性のために、アルコールも選択される。すなわち、それらは、許容できる低粘度の液体であり、４．４℃（４０°Ｆ）まで半透明、好ましくは透明であり、６．７℃（２０°Ｆ）までの保管後に回復することができる組成物を形成することができる。
【００３３】
必要安定性を有する、本明細書の液体の、好ましくは透明の布地柔軟仕上げ剤組成物の処方のための任意の主溶媒の適合性は、驚くほど選択的である。好適な溶媒は、それらのオクタノール／水分配係数（Ｐ）を元に選択することができる。主溶媒のオクタノール／水分配係数は、オクタノールと水とにおけるその平衡濃度の比である。本発明の主溶媒成分の分配係数は、それらの１０を底とする対数、ｌｏｇＰの形で便利に与えられる。
【００３４】
多くの成分のｌｏｇＰが報告されており、例えば、カリフォルニア州アーバインのデイライトケミカルインフォメーションシステムズ社（Daylight Chemical Information Systems, Inc.）（デイライトＣＩＳ）から入手可能なポモナ９２データベースには、原文献に加えて多くが入っている。しかし、ｌｏｇＰ値は、同様にデイライト（Daylight）ＣＩＳから入手可能な「ＣＬＯＧＰ」プログラムにより最も便利に計算される。このプログラムはまた実験ｌｏｇＰ値も、それらがポモナ９２データベースにおいて入手可能な場合には、一覧にしている。「ｌｏｇＰの計算値」（ＣｌｏｇＰ値）は、ハンシュ（Hansch）及びレオ（Leo）のフラグメント手法により求められる（参考として本明細書に組み込まれる、Ａ．レオ、「総括医薬品化学（Comprehensive Medicinal Chemistry）」、第４巻、Ｃ．ハンシュ（C. Hansch）、Ｐ．Ｇ．サメンス（P.G. Sammens）、Ｊ．Ｂ．テイラー（J.B. Taylor）、及びＣ．Ａ．ラムスデン（C.A. Ramsden）編、２９５頁、パーガモン出版、１９９０年を参照）。フラグメント手法は、各成分の化学構造に基づいており、原子の数及び種類、原子結合性、並びに化学結合を考慮する。この物理化学特性に関して最も信頼でき広く使用されている推定値であるこれらのＣｌｏｇＰ値が、本発明で有用な主溶媒成分の選択において実験ｌｏｇＰ値の代わりに使用されるのが好ましい。ＣｌｏｇＰを計算するために使用することができるその他の方法には、例えば、Ｊ．Ｃｈｅｍ．Ｉｎｆ．Ｃｏｍｐｕｔ．Ｓｃｉ．、２７、２１（１９８７）に開示されるようなクリッペン（Crippen）のフラグメンテーション法、Ｊ．Ｃｈｅｍ．Ｉｎｆ．Ｃｏｍｐｕｔ．Ｓｃｉ．、２９、１６３（１９８９）に開示されるようなビスワナダーン（Viswanadhan）のフラグメンテーション法、及びＥｕｒ．Ｊ．Ｍｅｄ．Ｃｈｅｍ．−Ｃｈｉｍ．Ｔｈｅｏｒ．、１９、７１（１９８４）に開示されるようなブロト（Broto）の方法が挙げられる。本明細書における主溶媒は、−０．２〜１．０のＣｌｏｇＰを有するものから選択され、前記主溶媒は、好ましくは少なくともいくらか非対称であり、好ましくは室温で又は室温付近でそれを液体にさせる融点又は凝固点を有する。低分子量を有し生分解性の溶媒も、ある目的には望ましい。より非対称の溶媒が非常に望ましいようであるのとは対照的に、対象の中心を有する１，７−ヘプタンジオール、又は１，４−ビス（ヒドロキシメチル）シクロヘキサンなどの、極めて対称の溶媒は、それらのＣｌｏｇＰ値が好ましい範囲であっても、単独で使用されると必須の透明な組成物を提供することができないようである。
【００３５】
必要範囲内にあるＣｌｏｇＰ値を有する操作可能な主溶媒が開示され、以下に記載される。これらには、モノオール、Ｃ６ジオール、Ｃ７ジオール、オクタンジオール異性体、ブタンジオール誘導体、トリメチルペンタンジオール異性体、エチルメチルペンタンジオール異性体、プロピルペンタンジオール異性体、ジメチルヘキサンジオール異性体、エチルへキサンジオール異性体、メチルヘプタンジオール異性体、オクタンジオール異性体、ノナンジオール異性体、アルキルグリセリルエーテル、ジ（ヒドロキシアルキル）エーテル、並びにアリールグリセリルエーテル、芳香族グリセリルエーテル、脂環式ジオール及び誘導体、Ｃ３Ｃ７ジオールアルコキシル化誘導体、芳香族ジオール、並びに不飽和ジオールが挙げられる。これらの主溶媒は全て、米国特許第６，３２３，１７２号に開示されている。
【００３６】
特に好ましい主溶媒には、ヘキサンジオール、例えば１，２−へキサンジオール；２メチル２，４ペンタンジオール及びＣ８ジオール、例えば２−エチル−１，３ヘキサンジオール及び２，２，４−トリメチル−１，３−ペンタンジオール、２，２，４−トリメチル−１，３−ペンタンジオールのエトキシレート及び２−エチル−１，３−ヘキサンジオールのエトキシレート；フェノキシエタノール、１，２シクロヘキサンジメタノール及び２メチル２，４ペンタンジオールが挙げられる。本明細書での使用に最も好ましい主溶媒には、２，２，４−トリメチル−１，３−ペンタンジオール、２，２，４−トリメチル−１，３−ペンタンジオールのエトキシレート、１，２ヘキサンジオール、２−エチル−１，３−ヘキサンジオール、フェノキシエタノール、ブチルカルビトール、２メチル２，４ペンタンジオール２メチル２，４ペンタンジオール、及びこれらの混合物から選択される。本明細書での使用に更に最も好ましい主溶媒は、２，２，４−トリメチル−１，３−ペンタンジオール、２，２，４−トリメチル−１，３−ペンタンジオールのエトキシレート、１，２ヘキサンジオール、２−エチル−１，３−ヘキサンジオール、フェノキシエタノール、２メチル２，４ペンタンジオール、及びこれらの混合物から選択される。主溶媒の混合物も、本発明の目的に使用することができる。
【００３７】
そのような透明又は半透明の液体形態にあるとき、本発明による柔軟化組成物の安定性を改善するために、柔軟化組成物が２〜５、好ましくは２．５〜４のｐＨを有するのが好ましいことがわかった。
【００３８】
ＩＶ．任意成分
本発明の組成物は、以下の任意成分：低分子量水溶性溶媒、光沢剤、分散補助剤、汚れ放出剤、スカム分散剤、殺菌剤、香料、キレート化剤、酵素、及びその他の任意成分のうちの１つ以上を含んでもよい。米国特許第２００２／００３５０５３号、段落１４４〜２２３。
【００３９】
本発明の１つの態様は、洗浄性洗濯洗剤を含まない又は本質的に含まない布地柔軟化組成物を提供する。一実施形態では、組成物は５％未満、あるいは４％未満、あるいは３％未満、あるいは２％未満、あるいは１％未満、あるいは０．５％未満含む。
【００４０】
Ｖ．実施例
【表２】
2008542569.tif 000010
１  ココ，ジ−ポリアルキレンオキシアンモニウムクロリド、アクゾ（Akzo）からの市販材料。
２  本発明による非イオン性、ＢＡＳＦからの市販材料。
【表３】
2008542569.tif 000011
３  本発明による非イオン性、ＢＡＳＦからの市販材料。
【００４１】
本明細書を通じて与えられるあらゆる最大数の限定は、あらゆるより小さい数値の限定を、そのようなより小さい数値の限定が本明細書にはっきりと表現されているかのように包含すると理解されなければならない。本明細書を通じて与えられるあらゆる最小数の限定は、それより大きいあらゆる数値の限定を、そのようなより大きい数値の限定が本明細書にはっきりと表現されているかのように包含する。本明細書を通じて与えられるあらゆる数値範囲は、そのようなより広い数値範囲内にあるあらゆるより狭い数値範囲を、そのようなより狭い数値範囲が本明細書にはっきりと表現されているかのように包含する。
【００４２】
特に指定がない限り、本明細書の明細、実施例、及び請求の範囲におけるすべての部、比、及び百分率は重量基準であり、すべての数値限定は、当該技術分野により提供される通常の程度の精度で使用される。
【００４３】
「発明を実施するための最良の形態」に引用される全ての文献は、関連部分において、参考として本明細書に組み込まれるが、いかなる文献の引用も、それが本発明に関する先行技術であることの容認として解釈すべきでない。
【００４４】
本発明の特定の実施形態を説明及び記述してきたが、本発明の精神及び範囲から逸脱することなく他の様々な変更及び修正を行えることが当業者には明白であろう。したがって、本発明の範囲内にあるそのような全ての変更及び修正を、添付の特許請求の範囲で扱うものとする。
【国際調査報告】
2008542569.tif 000015
2008542569.tif 000016